(57)【要約】【課題】共振器のＱ値を高く保ったまま全体に小型化でき、また共振器間の結合の自由度を高めたＬＣ複合部品を構成する。【解決手段】誘電体層１０１にはキャパシタ電極１１１，１１２およびそれらから引き出された入出力端子電極１１３，１１４が形成されていて、誘電体層１０２にはグランド電極１２０、誘電体層１０６にはキャパシタ電極１４０がそれぞれ形成されている。誘電体層１０３には直線状の線路電極１３１ａ，１３２ａ、誘電体層１０４にはコ字状の線路電極１３１ｂ，１３２ｂ、誘電体層１０５にはクランク状の線路電極１３１ｃ，１３２ｃ、がそれぞれ形成されている。誘電体層１０３，１０４，１０５には各線路電極の端部同士を接続するビア電極１６１ａ，１６２ａ，１６１ｂ，１６２ｂ，１６１ｃ，１６２ｃが形成され、これらのビア電極と線路電極とによって二重螺旋状の電極が構成されている。【選択図】図２
2010021321.tif 000002
【特許請求の範囲】
【請求項１】
少なくとも２つの入出力端子電極及びグランド端子電極が形成されるとともに複数の誘電体層が積層された積層基板に、一方端が前記入出力端子電極にそれぞれ接続された２つのインダクタと、一方端が前記入出力端子電極にそれぞれ接続されたキャパシタとを含むＬＣ共振回路が構成されたＬＣ複合部品において、
前記２つのインダクタは、前記積層基板の複数の誘電体層に形成された線路電極と前記誘電体層の積層方向に隣接する前記線路電極同士を導通させるビア電極とからなり、前記積層基板の積層方向を中心軸とする２つの螺旋状電極で構成され、
前記２つの螺旋状電極は、前記積層基板を積層方向に透視した状態で、一方の螺旋状電極と他方の螺旋状電極の少なくとも一部が互いに重なるように配置されたことを特徴とするＬＣ複合部品。
【請求項２】
前記一方の螺旋状電極の螺旋の中心軸と他方の螺旋状電極の螺旋の中心軸とがほぼ同一位置にある請求項１に記載のＬＣ複合部品。
【請求項３】
前記２つの入出力端子電極の位置をそれぞれ始点としたとき、前記２つの螺旋状電極の巻回方向が同一である、請求項１または２に記載のＬＣ複合部品。
【請求項４】
前記積層基板の複数の誘電体層に形成された前記２つの螺旋状電極のそれぞれの一部である前記線路電極は、各層毎に前記中心軸を中心とする回転対称形を成す、請求項１〜３のいずれかに記載のＬＣ複合部品。
【請求項５】
前記グランド端子電極に接続されるグランド電極が前記積層基板内に配置され、前記２つの螺旋状電極の他方端が同一の前記グランド電極に接続された、請求項１〜４のいずれかに記載のＬＣ複合部品。
【請求項６】
前記キャパシタは、前記積層基板を積層方向に透視した状態で、前記螺旋状電極の形成領域の少なくとも主要部を覆う範囲に広がったキャパシタ電極を備え、
前記螺旋状電極を積層方向に挟み込むように前記キャパシタ電極及び前記グランド電極を配置した請求項１〜５のいずれかに記載のＬＣ複合部品。
【請求項７】
前記キャパシタは前記入出力端子電極間に直列に接続されたキャパシタであり、
前記積層基板の電極形成層のうち積層方向の最上層および／または最下層に前記キャパシタを構成する電極を配置した、請求項１〜６のいずれかに記載ＬＣ複合部品。
【請求項８】
前記螺旋状電極は、前記積層基板の複数の層に形成された部分電極を有し、前記部分電極は前記積層基板の積層方向に隣接する電極の電極幅が異なる、請求項１〜７のいずれかに記載のＬＣ複合部品。
【請求項９】
前記螺旋状電極の一部である前記ビア電極を形成した複数の誘電体層のうち少なくとも１つの誘電体層を、前記ビア電極を形成してない他の誘電体層より厚くした、請求項１〜８のいずれかに記載のＬＣ複合部品。
【請求項１０】
前記螺旋状電極の一部である前記ビア電極のうち前記グランド電極に接続されるビア電極を形成した誘電体層を他のビア電極を形成した誘電体層より厚くした、請求項１〜９のいずれかに記載のＬＣ複合部品。
【発明の詳細な説明】
【背景技術】
【０００１】
誘電体の積層体内に螺旋状コイルを形成した帯域通過フィルタが特許文献１に開示されている。
特許文献１の積層帯域通過フィルタの構成を、図１を参照して説明する。
図１中、符号Ｇは誘電体グリーンシートであり、誘電体グリーンシートＧの表面に導体パターンＰがスクリーン印刷によりコの字形状に形成されている。この導体パターンＰは、コの字形状の開口側を向かい合わせた状態のものと、コの字形状の背を突き合わせた状態のものとの２種類があり、この２種類の導体パターンＰが形成された誘電体グリーンシートＧが、交互に積層されている。
【０００２】
また、誘電体グリーンシートＧに印刷形成された導体パターンＰの上下間は、ビア電極Ｖ１，Ｖ２により接続されている。
【０００３】
この帯域通過フィルタは、多層基板の一方の主面からみたときに、２つのコイル電極がそれぞれ別の位置で螺旋状を形成するように構成されていて、これら隣り合う２つのコイル電極同士が磁界により結合する。
【特許文献１】特開平６−２４４６０５号公報
【発明の開示】
【発明が解決しようとする課題】
【０００４】
しかし、上記特許文献１に示されている帯域通過フィルタでは、２つのコイル電極を隣り合うように配置しているため、積層基板の面方向のサイズが全体に大きくなるという問題があった。また、コイル電極は水平方向に隣り合うように配置されているため、両者の水平方向の距離を近づけることで結合を強くすることはできるが、両者を接触させる以上に強い結合を得ることはできない。
【０００５】
この発明の目的は、共振器のＱ値を高く保ったまま全体に小型化でき、また共振器間の結合の自由度を高めたＬＣ複合部品を提供することにある。
【課題を解決するための手段】
【０００６】
前記課題を解決するためにこの発明は次のように構成する。
（１）少なくとも２つの入出力端子電極及びグランド端子電極が形成されるとともに複数の誘電体層が積層された積層基板に、一方端が前記入出力端子電極にそれぞれ接続された２つのインダクタと、一方端が前記入出力端子電極にそれぞれ接続されたキャパシタとを含むＬＣ共振回路が構成されたＬＣ複合部品において、
前記２つのインダクタは、前記積層基板の複数の誘電体層に形成された線路電極と前記誘電体層の積層方向に隣接する前記線路電極同士を導通させるビア電極とからなり、前記積層基板の積層方向を中心軸とする２つの螺旋状電極で構成され、
前記２つの螺旋状電極は、前記積層基板を積層方向に透視した状態で、一方の螺旋状電極と他方の螺旋状電極の少なくとも一部が互いに重なるように配置されたことを特徴とする。
【０００７】
この構成により、２つのインダクタの配置領域が重なって占有面積が縮小化でき、共振器のＱ値を低下させることなく全体のサイズを縮小化できる。または共振器のサイズ当たりのＱ値を高めることができる。
【０００８】
また、２つの螺旋状電極の線路電極間の間隙が小さくなり、２つのインダクタの閉磁路が共有されることになり、相互誘導が大きくなる。さらに、同一平面内で電位差の小さな電極同士が隣接することになり、螺旋状電極の線路電極間の寄生容量が抑えられる。これらによって２つのインダクタの結合の設定可能な範囲が広がり、設計上の自由度が向上する。
【０００９】
（２）前記一方の螺旋状電極の螺旋の中心軸と他方の螺旋状電極の螺旋の中心軸とをほぼ同一位置にする。
これにより、２つの螺旋状電極の重なる領域（開口部）が最も広くなるため、その開口部を磁束が通りやすくなり、インダクタのＱ値が高くなり、Ｑ値の高い共振器が得られる。
【００１０】
（３）前記２つの入出力端子電極の位置をそれぞれ始点としたとき、前記２つの螺旋状電極の巻回方向を同一とする。
これにより、２つのインダクタで発生する磁界の向きを同じにすることができ、両者の磁界結合を強くすることができる。
【００１１】
（４）前記積層基板の複数の誘電体層に形成された前記２つの螺旋状電極のそれぞれの一部である前記線路電極を、各層毎に前記中心軸を中心とする回転対称形に形成する。
これにより、積層方向に隣り合う電極は互いに形状が異なることになり、電極の集中による積層基板のうねり等を効果的に防止できる。
【００１２】
（５）前記グランド端子電極に接続されるグランド電極を前記積層基板内に配置し、前記２つの螺旋状電極の他方端を同一の前記グランド電極に接続する。
これにより、グランド電極は単一の広がった電極で構成され、グランド電極に不要な寄生インダクタンスが生じにくくなり、インダクタンス値を安定化でき、特性悪化を防止できる。また、グランド電極が大面積化するので、その分高いＱ値が得られる。
【００１３】
（６）前記キャパシタは、前記積層基板を積層方向に透視した状態で、前記螺旋状電極の形成領域の少なくとも主要部を覆う範囲に広がったキャパシタ電極を備え、
前記螺旋状電極を積層方向に挟み込むように前記キャパシタ電極及び前記グランド電極を配置する。
【００１４】
これにより、螺旋状電極（インダクタ）による磁束の広がりがグランド電極で抑えられ、実装基板側の回路との不要な磁界結合が防止できる。
【００１５】
（７）前記キャパシタは前記入出力端子電極間に直列に接続されたキャパシタとし、
前記積層基板の電極形成層のうち積層方向の最上層および／または最下層に前記キャパシタを構成する電極を配置する。
これにより、螺旋状電極（インダクタ）による磁束の広がりがグランド電極で抑えられ、実装基板側の回路との不要な磁界結合が防止できる。
【００１６】
（８）前記積層基板の複数の層に形成された前記螺旋状電極の部分電極は、前記積層基板の積層方向に隣接する電極の電極幅が異なるものとする。
これにより、積層方向に互いに隣接する線路電極間の面方向のずれ（誘電体層の積みずれ）があっても、積層方向に互いに隣接する線路電極間の対向面積をほぼ一定に保つことができ、特性の安定化が図れる。
【００１７】
（９）前記螺旋状電極の一部である前記ビア電極を形成した複数の誘電体層のうち少なくとも１つの誘電体層を、前記ビア電極を形成してない他の誘電体層より厚くする。
ビア電極の断面積は線路電極の断面積より大きい。そのため、ビア電極長を長くし、その分、線路電極の長さを短縮することによって高いＱ値が得られる。
【００１８】
（１０）前記螺旋状電極の一部である前記ビア電極のうち前記グランド電極に接続されるビア電極を形成した誘電体層を他のビア電極を形成した誘電体層より厚くする。
これにより、インダクタとグランド電極との電磁界結合が抑えられ、Ｑ値の高い共振器が得られる。
【発明の効果】
【００１９】
この発明によれば、２つのインダクタの配置領域が重なって占有面積が縮小化でき、共振器のＱ値を低下させることなく全体のサイズを縮小化できる。または共振器のサイズ当たりのＱ値を高めることができる。
【００２０】
また、２つの螺旋状電極の線路電極間の間隙が小さくなり、２つのインダクタの閉磁路が共有されることになり、相互誘導が大きくなる。さらに、電位差の小さな電極同士が隣接することになり、螺旋状電極の線路電極間の寄生容量が抑えられる。これらによって２つのインダクタの結合の設定可能な範囲が広がり設計上の自由度が向上する。
【発明を実施するための最良の形態】
【００２１】
《第１の実施形態》
第１の実施形態に係る積層帯域通過フィルタについて図２〜図５を参照して説明する。
図２は第１の実施形態に係る積層帯域通過フィルタの分解斜視図、図３はその外観斜視図である。
【００２２】
第１の実施形態に係る積層帯域通過フィルタ１は、各種電極パターンを形成した誘電体層１０１〜１０６を含む複数の誘電体層が積層されてなる。図３に示した積層帯域通過フィルタ１の大きさは、例えば１．０ｍｍ×０．５ｍｍで高さは０．４ｍｍである。
【００２３】
誘電体層１０１〜１０６のそれぞれは、比誘電率εｒ＝５３．５のＬＴＣＣ（例えば酸化チタン、酸化バリウム、アルミナ等の成分のうち、少なくとも１つ以上の成分と、ガラス成分とから形成される低温同時焼成セラミックス）からなる誘電体シートである。
図３に示すように積層基板１０の側面には、グランド端子１１、入出力端子１２，１３が形成されている。
【００２４】
なお図３に示した積層帯域通過フィルタの外観斜視図は第２の実施形態以降で示す他の実施形態についても同様であるので、第２の実施形態以降の各実施形態でもこの図を共用する。
【００２５】
図２に示すように、誘電体層１０１にはキャパシタ電極１１１，１１２およびそれらから引き出された入出力端子電極１１３，１１４が形成されている。
誘電体層１０２には、グランド電極１２０が配置されている。
【００２６】
誘電体層１０６には、キャパシタ電極１４０が配置されている。
誘電体層１０３〜１０５には、２つの螺旋状電極を構成するための線路電極及びビア電極が形成されている。具体的には、誘電体層１０３には直線状の線路電極１３１ａ，１３２ａ、誘電体層１０４にはコ字状の線路電極１３１ｂ，１３２ｂ、誘電体層１０５にはクランク状又はＬ字状の線路電極１３１ｃ，１３２ｃ、がそれぞれ形成されている。誘電体層１０３には線路電極１３１ａ，１３２ａの一端とグランド電極１２０との間を導通させるビア電極１６１ａ，１６２ａが形成されている。また、誘電体層１０４には線路電極１３１ａ，１３２ａの他端と線路電極１３１ｂ，１３２ｂの一端との間を導通させるビア電極１６１ｂ，１６２ｂが形成されている。さらに誘電体層１０５には線路電極１３１ｂ，１３２ｂの他端と線路電極１３１ｃ，１３２ｃの一端との間を導通させるビア電極１６１ｃ，１６２ｃが形成されている。
【００２７】
図４は、図３に示した誘電体層１０３，１０４，１０５の積層状態での螺旋状電極の構成を示す平面図である。
図４（Ａ）（Ｂ）は２つの螺旋状電極２０１，２０２のそれぞれについて表している。
図４（Ａ）に示すように、直線状の線路電極１３１ａの一端はビア電極１６１ａを介して下部のグランド電極に接続されていて、直線状の線路電極１３１ａの他端はビア電極１６１ｂを介してコ字状の線路電極１３１ｂの一端に接続されている。またコ字状の線路電極１３１ｂの他端はビア電極１６１ｃを介してクランク状の線路電極１３１ｃの一端に接続されている。クランク状の線路電極１３１ｃの他端は入出力端子電極１３３に繋がっている。
【００２８】
このようにして線路電極１３１ａ，１３１ｂ，１３１ｃ及びビア電極１６１ａ，１６１ｂ，１６１ｃによって、中心ｏを通る直線を中心軸とする螺旋状電極２０１が構成されている。
【００２９】
同様に図４（Ｂ）に示すように、直線状の線路電極１３２ａの一端はビア電極１６２ａを介して下部のグランド電極に接続されていて、直線状の線路電極１３２ａの他端はビア電極１６２ｂを介してコ字状の線路電極１３２ｂの一端に接続されている。またコ字状の線路電極１３２ｂの他端はビア電極１６２ｃを介してクランク状の線路電極１３２ｃの一端に接続されている。クランク状の線路電極１３２ｃの他端は入出力端子電極１３４に繋がっている。
【００３０】
このようにして線路電極１３２ａ，１３２ｂ，１３２ｃ及びビア電極１６２ａ，１６２ｂ，１６２ｃによって、中心ｏを通る直線を中心軸とする螺旋状電極２０２が構成されている。
【００３１】
図４（Ｃ）は上記２つの螺旋状電極２０１，２０２を共に表した平面図である。この２つの螺旋状電極２０１，２０２の中心軸は共に中心ｏを通る位置にある。また２つの入出力端子電極１３３，１３４の位置をそれぞれ始点としたとき、２つの螺旋状電極２０１，２０２の巻回方向は同一（この例では右回り）である。
このようにして２つの螺旋状電極２０１，２０２が積層基板１０内で二重螺旋構造に構成されている。
【００３２】
また、誘電体層１０３，１０４，１０５の各層に形成された各線路電極は、中心ｏを通る中心軸を中心とする回転対称形に形成されている。
これにより、各線路電極は中心軸ｏを中心として均等に分散するとともに、誘電体層の積層方向に隣り合う電極は互いに形状が異なり、集中して重ならず、平面視した際の電極の集中による積層基板のうねり等を効果的に防止できる。
【００３３】
図５は第１の実施形態に係る積層帯域通過フィルタの等価回路である。
キャパシタＣ１，Ｃ２はキャパシタ電極１１１，１１２とグランド電極１２０との間にそれぞれ生じる容量である。インダクタＬ１，Ｌ２は螺旋状電極２０１，２０２によるインダクタである。キャパシタＣ１２は、線路電極１３１ｃ，１３２ｃとキャパシタ電極１４０との間に生じる容量、及びキャパシタ電極１１１−１１２間のギャップに生じる容量である。相互誘導Ｍ１は螺旋状電極２０１，２０２がそれぞれ形成する閉磁路内の磁界結合により生じる。
【００３４】
このように、一方の入出力端子１２とグランド端子１１との間にキャパシタＣ１とインダクタＬ１の並列回路が接続され、他方の入出力端子１３とグランド端子１１との間にキャパシタＣ２とインダクタＬ２の並列回路が接続され、インダクタＬ１，Ｌ２同士が磁界結合し、入出力端子１２−１３間にキャパシタＣ１２が接続された回路が構成される。
この構造により、２つの共振器が結合して成る帯域通過フィルタとして作用する。
【００３５】
なお図５に示した等価回路図は、第２の実施形態以降で示す他の実施形態についても同様であるので、第２の実施形態以降の各実施形態でもこの図を共用する。
【００３６】
以上に示した構成によれば、図４に示したように、２つのインダクタＬ１，Ｌ２を構成する螺旋状電極２０１，２０２の配置領域が重なって占有面積が縮小化でき、共振器のＱ値を低下させることなく全体のサイズを縮小化できる。または共振器のサイズ当たりのＱ値を高めることができる。
【００３７】
また、２つの螺旋状電極２０１，２０２は二重螺旋構造であるので、それぞれの線路電極間の間隙が小さくなり、しかも２つのインダクタの閉磁路が共有されることになって、大きな相互誘導が得られる。
【００３８】
さらに、同一平面内で電位差の小さい電極同士が隣接することになり、螺旋状電極の線路電極間の寄生容量が抑えられる。すなわち、螺旋状電極は、その一方端がグランド電極に接続され、他方端が短絡された線路電極である。同一平面内および隣接する層間の螺旋状電極は、グランド電極からみるとほぼ同電位であるため、両者の間の電位差が小さくなる。
【００３９】
これらによって２つのインダクタの結合の設定可能な範囲が広がり設計上の自由度が向上する。
【００４０】
なお、図２に示した構成によれば、螺旋状電極２０１，２０２（図４参照）を構成する誘電体層１０３，１０４，１０５を、グランド電極１２０が形成された誘電体層１０２と、キャパシタ電極１４０が形成された誘電体層１０６とで挟み込むように配置していて、且つ上記グランド電極１２０及びキャパシタ電極１４０は共に線路電極１３１ａ，１３１ｂ，１３１ｃ，１３２ａ，１３２ｂ，１３２ｃの形成領域を覆う範囲に広がっているため、螺旋状電極２０１，２０２（インダクタＬ１，Ｌ２）による磁束の広がりが抑えられ、実装基板側の回路と不要な磁界結合による干渉が防止できる。
【００４１】
《第２の実施形態》
図６は第２の実施形態に係る積層帯域通過フィルタの分解斜視図である。第１の実施形態で図２に示した積層帯域通過フィルタと異なるのは、誘電体層１０７をさらに備えている点である。
【００４２】
誘電体層１０７にはキャパシタ電極１５１，１５２及びそれらにつながる入出力端子電極１５３，１５４が形成されている。
【００４３】
このキャパシタ電極１５１，１５２と誘電体層１０６のキャパシタ電極１４０との間にそれぞれ容量が生じる。入出力端子電極１５３，１５４は、誘電体層１０１に形成されている入出力端子電極１１３，１１４とともに、図３に示した入出力端子１２，１３にそれぞれ接続される。したがって上記キャパシタ電極１５１，１５２とキャパシタ電極１４０との間に生じる容量は入出力端子間に挿入されることになる。したがってこの積層帯域通過フィルタの等価回路は図５に示したもと同様であるが、そのキャパシタＣ１２の容量を大きく設定することができる。
【００４４】
《第３の実施形態》
図７は第３の実施形態に係る積層帯域通過フィルタの分解斜視図である。図６に示した積層帯域通過フィルタの構成と異なるのは、誘電体層１００をさらに備えている点である。
【００４５】
誘電体層１００にはグランド電極１７０及びそれらにつながるグランド端子電極１７１，１７２が形成されている。
【００４６】
このグランド電極１７０のグランド端子電極１７１，１７２は、誘電体層１０２に形成されたグランド端子電極１２１，１２２とともにグランド端子１１，１１に接続される。したがってキャパシタ電極１１１，１１２とグランド電極１２０，１７０との間にそれぞれ容量が生じることになる。これらの容量は等価回路上は図５に示したキャパシタＣ１，Ｃ２であり、これらの容量によってＬＣ共振器は共振周波数を定めることができる。
【００４７】
特に図７に示した構成では、実装基板への実装面側にグランド電極１７０を備えているので実装基板側の回路との干渉を抑制できる。
【００４８】
《第４の実施形態》
図８は第４の実施形態に係る積層帯域通過フィルタの分解斜視図である。この例では５つの誘電体層１０３ａ，１０４ａ，１０３ｂ，１０４ｂ，１０５のそれぞれに線路電極及びビア電極が形成されていて、２つの螺旋状電極が構成されている。
【００４９】
具体的には、誘電体層１０３ａには直線状の線路電極１３１ａ，１３２ａ、誘電体層１０４ａにはコ字状の線路電極１３１ｂ，１３２ｂ、誘電体層１０３ｂには直線状の線路電極１３１ｃ，１３２ｃ、誘電体層１０４ｂにはコ字状の線路電極１３１ｄ，１３２ｄ、誘電体層１０５にはクランク状又はＬ字状の線路電極１３１ｅ，１３２ｅ、がそれぞれ形成されている。誘電体層１０３ａには線路電極１３１ａ，１３２ａの一端とグランド電極１２０との間を導通させるビア電極１６１ａ，１６２ａが形成されている。また、誘電体層１０４ａには線路電極１３１ａ，１３２ａの他端と線路電極１３１ｂ，１３２ｂの一端との間を導通させるビア電極１６１ｂ，１６２ｂが形成されている。誘電体層１０３ｂには線路電極１３１ｃ，１３２ｃの一端とコ字状の線路電極１３１ｂ，１３２ｂとの間を導通させるビア電極１６１ｃ，１６２ｃが形成されている。また、誘電体層１０４ｂには線路電極１３１ｃ，１３２ｃの他端と線路電極１３１ｄ，１３２ｄの一端との間を導通させるビア電極１６１ｄ，１６２ｄが形成されている。さらに誘電体層１０５には線路電極１３１ｄ，１３２ｄの他端と線路電極１３１ｅ，１３２ｅの一端との間を導通させるビア電極１６１ｅ，１６２ｅが形成されている。
その他の構成は図６に示した積層帯域通過フィルタと同様である。
【００５０】
このようにして線状の線路電極（１３１ａ，１３２ａ，１３２ｃ，１３１ｃ）、コ字状の線路電極（１３１ｂ，１３２ｂ，１３１ｄ，１３２ｄ）、及びそれらの間を接続するビア電極（１６１ｂ，１６２ｂ，１６１ｃ，１６２ｃ，１６１ｄ，１６２ｄ，１６１ｅ，１６２ｅ）を繰り返し設けることによって、巻回数の多い螺旋状電極を構成することができる。これにより、図５に示した等価回路上のインダクタＬ１，Ｌ２のインダクタンス値を大きく定めることができる。
【００５１】
《第５の実施形態》
図９は第５の実施形態に係る積層帯域通過フィルタの分解斜視図である。図８に示した積層帯域通過フィルタと異なるのは、誘電体層１０３ａ，１０４ａの厚みである。この例では、誘電体層１０３ａの厚みを他の線路電極が形成された誘電体層１０４ａ，１０３ｂ，１０４ｂ，１０５より厚く定めている。これにより誘電体層１０３ａに形成されるビア電極１６１ａ，１６２ａの長さが長くなって（螺旋状電極の主要部とグランド電極１２０との間隔が広くなり）、インダクタとグランド電極との電磁界結合が抑えられて共振器のＱ値が高まる。
【００５２】
また、螺旋状電極を構成する複数の誘電体層を厚くすることにより（この例では誘電体層１０３ａ，１０４ａを厚くしている。）、その誘電体層のビア電極の電極長が長くなり、その分、線路電極の長さを短縮することによって、線路断面の大きな領域の割合が高まり、Ｑ値の高いインダクタが得られる。
【００５３】
誘電体層の厚みを変える方法としては、用いる誘電体層単体の厚みを変える方法、同じ厚みの誘電体層を所定枚数積層する方法の何れであってもよい。
【００５４】
なお、以上に示した各実施形態では螺旋状電極の一部である線路電極（１３１ａ，１３２ａ，１３１ｂ，１３２ｂ，１３１ｃ，１３２ｃ等）をいずれも同一の線幅で表したが、例えば図２・図６・図７に示した線路電極１３１ｂ，１３２ｂを１３１ａ，１３２ａ，１３１ｃ，１３２ｃの線幅より細くすることにより、すなわち積層方向に［太い線路］［細い線路］［太い線路］の順に配置することにより、誘電体層１０３，１０４，１０５の水平方向の積みずれが生じても、平面視状態で線路電極の重なる部分（面積）が変化し難いので、誘電体層の積みずれによる特性のばらつきが抑えられる。
【００５５】
また、以上に示した各実施形態では、例えば図４に示したように、２つの螺旋状電極２０１，２０２の中心軸が一致するようにしたが、積層基板を積層方向に透視した状態で少なくとも一方の螺旋状電極が他方の螺旋状電極と部分的に互いに重なるように配置されていれば、この２つの螺旋状電極２０１，２０２の中心軸が誘電体層の面方向にずれていてもよい。
【００５６】
また、以上に示した各実施形態では２つのＬＣ共振器を結合させて帯域通過特性を示すフィルタを構成したが、一方端が入出力端子電極にそれぞれ接続された２つのインダクタと、一方端が入出力端子電極にそれぞれ接続されたキャパシタとを含むＬＣ共振回路が構成されたＬＣ複合部品に、本発明は同様に適用できる。
【００５７】
《第６の実施形態》
図１０は第６の実施形態に係る積層帯域通過フィルタの分解斜視図である。図９に示した積層帯域通過フィルタと異なるのは、キャパシタ電極１８０を形成した誘電体層１００を備えていることである。
【００５８】
この構成により、キャパシタ電極１１１，１１２とキャパシタ電極１８０との間に容量が生じる。この容量は図５に示したキャパシタＣ１２に対応する。そのため、誘電体層１０１の厚みによって上記キャパシタＣ１２のキャパシタンス値を定めることができる。
【００５９】
また、さらにこの誘電体層１００と１０１との間に別の誘電体層を挿入するように構成すれば、その挿入する誘電体層の厚みや枚数を定めることによって、上記キャパシタＣ１２のキャパシタンス値を定めることができ、フィルタ特性の設計上の自由度がより高まる。
【図面の簡単な説明】
【００６０】
【図１】特許文献１に示されている積層帯域通過フィルタの分解斜視図である。
【図２】第１の実施形態に係る積層帯域通過フィルタの分解斜視図である。
【図３】第１の実施形態に係る積層帯域通過フィルタの外観斜視図である。
【図４】図３に示した誘電体層１０３，１０４，１０５の積層状態での螺旋状電極の構成を示す平面図である。
【図５】第１の実施形態に係る積層帯域通過フィルタの等価回路である。
【図６】第２の実施形態に係る積層帯域通過フィルタの分解斜視図である。
【図７】第３の実施形態に係る積層帯域通過フィルタの分解斜視図である。
【図８】第４の実施形態に係る積層帯域通過フィルタの分解斜視図である。
【図９】第５の実施形態に係る積層帯域通過フィルタの分解斜視図である。
【図１０】第６の実施形態に係る積層帯域通過フィルタの分解斜視図である。
【符号の説明】
【００６１】
１…積層帯域通過フィルタ
１０…積層基板
１１…グランド端子
１２，１３…入出力端子
１００〜１０７…誘電体層
１０３ａ，１０４ａ，１０３ｂ，１０４ｂ…誘電体層
１１１，１１２…キャパシタ電極
１１３，１１４…入出力端子電極
１２０…グランド電極
１２１，１２２…グランド端子電極
１３１ａ，１３１ｂ，１３１ｃ…線路電極
１３２ａ，１３２ｂ，１３２ｃ…線路電極
１３２ｃ，１３２ｃ，１３２ｃ…線路電極
１３２ｄ，１３２ｄ，１３２ｄ…線路電極
１３３，１３４…入出力端子電極
１４０…キャパシタ電極
１５１，１５２…キャパシタ電極
１５３，１５４…入出力端子電極
１６１ａ，１６２ａ…ビア電極
１６１ｂ，１６２ｂ…ビア電極
１６１ｃ，１６２ｃ…ビア電極
１６１ｄ，１６２ｄ…ビア電極
１６１ｅ，１６２ｅ…ビア電極
１７０…グランド電極
１７１，１７２…グランド端子電極
１８０−キャパシタ電極
２０１，２０２…螺旋状電極
Ｃ１，Ｃ２…キャパシタ
Ｃ１２…キャパシタ
Ｌ１，Ｌ２…インダクタ
Ｍ１…相互誘導
【図１】
2010021321.tif 000003
【図２】
2010021321.tif 000004
【図３】
2010021321.tif 000005
【図４】
2010021321.tif 000006
【図５】
2010021321.tif 000007
【図６】
2010021321.tif 000008
【図７】
2010021321.tif 000009
【図８】
2010021321.tif 000010
【図９】
2010021321.tif 000011
【図１０】
2010021321.tif 000012